(57)【要約】【課題】金属製のテンプル１５と非金属製のモダン１６とを備える眼鏡において、テンプル１５とモダン１６との堅固な接続方法を提供する。【解決手段】テンプル１５がその一端側に鏃部を備え、モダン１６がその一端側に挿入孔を備え、鏃部を挿入孔に挿入することにより接続する。また、モダン１６に挿入されるテンプル１５の長さが、モダン１６の全長の０．３倍以下とする。また、挿入孔の長さが、モダン１６の全長の０．３倍以下とする。また、挿入孔の幅が、鏃部の最大幅よりも狭くなるようにする。【選択図】図１
2008158331.tif 000002
【特許請求の範囲】
【請求項１】
金属製のテンプルと非金属製のモダンとを備える眼鏡であって、前記テンプルがその一端側に鏃部を備え、前記モダンがその一端側に挿入孔を備え、前記鏃部を前記挿入孔に挿入することにより前記テンプルと前記モダンが接続されていることを特徴とする眼鏡。
【請求項２】
前記モダンに挿入される前記テンプルの長さが、前記モダンの全長の０．３倍以下であることを特徴とする請求項１に記載の眼鏡。
【請求項３】
前記挿入孔の長さが、前記モダンの全長の０．３倍以下であることを特徴とする請求項１又は２に記載の眼鏡。
【請求項４】
前記挿入孔の幅が、前記鏃部の最大幅よりも狭いことを特徴とする請求項１乃至３の何れかに記載の眼鏡。
【請求項５】
前記鏃部が、任意の形状であることを特徴とする請求項１乃至４の何れかに記載の眼鏡。
【発明の詳細な説明】
【技術分野】
【０００１】
本発明は眼鏡に関し、特に、金属製のテンプルと非金属製のモダンとを備える眼鏡に関する。
【背景技術】
【０００２】
眼鏡には様々なタイプのものが存在するが、金属製のテンプルと非金属製のモダンとを備える眼鏡について、図５〜７を用いて説明する。ここに示される眼鏡２０は、二つのレンズ２１がフロント枠２２に保持されている。フロント枠２２の中央には一対のパッド２３が設けられて、顔面の鼻に当接するようになっている。
【０００３】
フロント枠２２の両側部には智２４が設けられ、智２４から丁番を介してテンプル２５が開閉自在に取り付けられている。そして、テンプル２５の先端部であり耳に当接する部分に、モダン２６が接続されている。モダン２６は、使用の際に肌にソフトな感じで接触する樹脂等の材料が用いられている。そして、眼鏡を構成する部材の中でも、比較的多様なデザインが施されている。
【０００４】
テンプルとモダンとの接続方法は、例えば特許文献１に記載されている方法が一般的である。すなわち、その接合方法としては、図５に示すように長くて真直ぐな挿入孔２７が設けられたモダン２６に、真直ぐに形成されたテンプル２５の一端側を挿入した後に、テンプル２５とモダン２６とを一緒に曲げて変形させることにより、図６のように形成されている。
【０００５】
しかしながら、曲率半径の大きな曲げ変形をした場合や、少しだけ曲げるような変形をした場合には、モダン２６からテンプル２５が抜け出てしまうことがある。特に、最近ではストレートに近いモダンが少なくないために、問題とされることが多くなっている。
【特許文献１】特開平０９−１７９０７１号公報
【発明の開示】
【発明が解決しようとする課題】
【０００６】
したがって、本発明の目的は、金属製のテンプルと非金属製のモダンとを備える眼鏡において、テンプルとモダンとの堅固な接続方法を提供することにある。そして、ストレートに近いようなモダンにおいても、モダンからテンプルが抜け出てしまうことのない眼鏡を提供することにある。
【課題を解決するための手段】
【０００７】
上記の課題を解決するために、本発明の請求項１に係る眼鏡は、金属製のテンプルと非金属製のモダンとを備える眼鏡であって、前記テンプルがその一端側に鏃部を備え、前記モダンがその一端側に挿入孔を備え、前記鏃部を前記挿入孔に挿入することにより前記テンプルと前記モダンが接続されている手段を採用している。また、本発明の請求項２に係る眼鏡は、請求項１に記載の眼鏡において、前記モダンに挿入される前記テンプルの長さが、前記モダンの全長の０．３倍以下である手段を採用している。また、本発明の請求項３に係る眼鏡は、請求項１又は２に記載の眼鏡において、前記挿入孔の長さが、前記モダンの全長の０．３倍以下である手段を採用している。また、本発明の請求項４に係る眼鏡は、請求項１乃至３の何れかに記載の眼鏡において、前記挿入孔の幅が、前記鏃部の最大幅よりも狭い手段を採用している。また、本発明の請求項５に係る眼鏡は、請求項１乃至４の何れかに記載の眼鏡において、前記鏃部が、任意の形状である手段を採用している。
【発明の効果】
【０００８】
本発明の眼鏡は、上記の手段を採用することにより、金属製のテンプルと非金属製のモダンとを備える眼鏡において、テンプルとモダンとを堅固に接続することができる。そして、ストレートに近いようなモダンである場合においても、モダンからテンプルが抜け出てしまうことのない眼鏡を提供することができる。
【発明を実施するための最良の形態】
【０００９】
以下、本発明の実施例を図１〜４により説明するが、これらの図は本願発明を何ら限定するものではない。
本発明の眼鏡１０は、金属製のテンプル１５と非金属製のモダン１６とを備える眼鏡であって、二つのレンズ１１がフロント枠１２に保持されている。フロント枠１２の中央には一対のパッド１３が設けられて、顔面の鼻に当接するようになっている。
【００１０】
フロント枠１２の両側部には智１４が設けられ、智１４から丁番を介してテンプル１５が開閉自在に取り付けられている。そして、テンプル１５の先端部であり耳に当接する部分に、モダン１６が接続されている。モダン１６は、使用の際に肌にソフトな感じで接触する樹脂等の材料が用いられている。また、眼鏡を構成する部材の中でも、比較的多様なデザインが施されている。
【００１１】
図３に示すように、テンプル１５はその一端側に鏃部１８を備えている。鏃部１８とは、その軸線を含む断面が、先端を一頂点として略三角形となる形状をいうが、先端を切り欠いた形状も含む。具体的には、任意の形状とすることが可能であり、例えば、平板状の部材の先端を三角形に切断して形成したもの、丸棒状の部材の先端を円錐形又は切頭円錐形に加工して形成したもの、断面が四角形の部材の先端を四角錐又は切頭四角錘に加工して形成したもの等である。
【００１２】
図２に示すように、モダン１６はその一端側に挿入孔１７を備えている。挿入孔１７の断面形状は自由であるが、鏃部１８の形状に適合する形状を選択することが好ましい。そして、テンプル１５の鏃部１８を挿入孔１７に挿入することにより、テンプル１５とモダン１６が接続されている。すなわち、鏃部１８が挿入孔１７に引っ掛かる抵抗や、鏃部１８がモダン１６に喰い込む力を利用して固定している。
【００１３】
図５に示すように、従来のモダン２６における挿入孔２７の長さは、モダン２６の全長の半分以上、すなわち０．５倍以上とされていた。しかし、本願発明では、挿入孔１７の長さａは非常に短く、モダン１６の全長Ｌの０．３倍以下とすることができる。そして、モダン１６の全長Ｌの０．１倍以上で０．２５倍以下とすることが最も好ましい。
【００１４】
同様に、モダン１６に挿入されるテンプル１５の長さｃは、モダン１６の全長Ｌの０．３倍以下とすることが好ましい。そして、モダン１６の全長Ｌの０．１倍以上で０．２５倍以下とすることが最も好ましい。さらに、挿入孔１７の幅ｂは、鏃部１８の最大幅ｄよりも狭いことが好ましい。これによって、鏃部１８の最大幅ｄの部分が、挿入孔１７に引っ掛かる抵抗や、モダン１６に喰い込む力を大きくすることができる。
【００１５】
したがって、本発明の眼鏡は、金属製のテンプルと非金属製のモダンとを備える眼鏡において、テンプルとモダンとを堅固に接続することができる。そして、ストレートに近い形状のモダンであっても、モダンからテンプルが抜け出てしまうことのない眼鏡とすることができる。
【図面の簡単な説明】
【００１６】
【図１】本発明の眼鏡のテンプルとモダンの接続を示す概略図である。
【図２】モダンの構造を示す概略図である。
【図３】テンプルの構造を示す概略図である。
【図４】本発明の眼鏡の一例を示す概略斜視図である。
【図５】従来の眼鏡のモダンの構造を示す概略図である。
【図６】従来の眼鏡のテンプルとモダンの接続を示す概略図である。
【図７】従来の眼鏡の一例を示す概略斜視図である。
【符号の説明】
【００１７】
１０、２０    眼鏡
１１、２１    レンズ
１２、２２    フロント枠
１３、２３    パッド
１４、２４    智
１５、２５    テンプル
１６、２６    モダン
１７、２７    挿入孔
１８    鏃部
【図１】
2008158331.tif 000003
【図２】
2008158331.tif 000004
【図３】
2008158331.tif 000005
【図４】
2008158331.tif 000006
【図５】
2008158331.tif 000007
【図６】
2008158331.tif 000008
【図７】
2008158331.tif 000009